(57)【特許請求の範囲】
【請求項１】
立坑内を吊り降ろされるまたは吊り上げられる懸吊物の上部を覆う屋根部と、この屋根部の下部に設けられて前記懸吊物が取り付けられる接続部と、前記屋根部に、側方に突出させて回転自在に設けた保護ローラと、前記屋根部の上部に取り付けられ、巻上げ装置に掛合させる吊り部とを有することを特徴とする立坑用吊り天秤。
【請求項２】
前記屋根部は、上面に衝撃緩衝材が配置されていることを特徴とする請求項１に記載の立坑用吊り天秤。
【請求項３】
前記吊り部と前記屋根部との間には、取付け位置調整機構が形成してあることを特徴とする請求項１または２に記載の立坑用吊り天秤。
【発明の詳細な説明】
【０００１】
【発明の属する技術分野】
本発明は、資材等を立坑内に吊り降ろしたり吊り上げたりする吊り天秤に係り、特に素掘りの立坑や垂直度が充分でない立坑内における物品の吊り降ろしや吊り上げに好適な立坑用吊り天秤に関する。
【０００２】
【従来の技術】
従来、立坑内において資材などの吊り降ろしたり吊り上げたりする場合、資材などに玉掛けをしてクレーンやウインチによって吊り降ろし、吊り上げをするようにしている。
【０００３】
【発明が解決しようとする課題】
しかし、地下発電所などの大型地下設備用排水立坑のような素掘りの状態である立坑に資材などを吊り降ろしたり吊り上げたりする場合、立坑の壁面に凹凸があるため、資材などが凹凸に引っ掛かってスムーズに吊り上げ、吊り降ろしをすることができない場合がある。また、大型地下設備を地下１００ｍ以上の大深度に設けた場合、排水立坑の長さが数１０ｍから１００ｍを超えることもあり、鉛直に掘削した立坑であっても上端と下端とで数１０ｃｍの芯ずれを生ずる。このため、立坑の内径よりやや小さい資材や器材などの懸吊物を吊り降ろしたりする場合、懸吊物が立坑の壁面に接触して損傷したり、落石が懸吊物に当たって懸吊物を損傷するなどの問題がある。
【０００４】
本発明は、前記従来技術の欠点を解消するためになされたもので、立坑内において懸吊物の吊り降ろし、吊り上げをスムーズにできるようにすることを目的としている。
また、本発明は、落石などが懸吊物に当たらないようにすることを目的としている。
さらに、本発明は、落石などの衝撃を緩和することを目的としている。
【０００５】
【課題を解決するための手段】
上記の目的を達成するために、本発明に係る立坑用吊り天秤は、立坑内を吊り降ろされるまたは吊り上げられる懸吊物の上部を覆う屋根部と、この屋根部の下部に設けられて前記懸吊物が取り付けられる接続部と、前記屋根部に、側方に突出させて回転自在に設けた保護ローラと、前記屋根部の上部に取り付けられ、巻上げ装置に掛合させる吊り部とを有する構成にしてある。屋根部の上面には、衝撃緩衝材を設けることができる。緩衝材としては、ゴムや発泡スチロールなどを用いることができるが、発泡スチロールを用いると、大きな緩衝作用が得られるとともに、軽量化を図ることができる。また、吊り部と屋根部との間には、取付け位置調整機構を設けることができる。
【０００６】
【作用】
上記のごとく構成した本発明は、懸吊物の上部を覆う屋根部に、回転自在な保護ローラを屋根部の側方に突出させているため、懸吊物が揺れたり、立坑の壁面に凹凸が存在するため、さらには立坑が傾いていために、懸吊物が立坑の壁面に接触する場合、屋根部から突出している保護ローラが立坑壁面と接触して懸吊物が立坑壁面に接触するのを防止でき、懸吊物が立坑壁面と接触することによる損傷を防止することができる。しかも、保護ローラは回転自在であるため、保護ローラが立坑壁面に接触したとしても、保護ローラが転動するために懸吊物をスムーズに吊り降ろしたり吊り上げたりすることができる。また、懸吊物は、屋根部によって上部を覆われるため、落石などが懸吊物に衝突するのを防止することができ、落石などによる懸吊物の損傷を防止できるとともに、危険の防止を図ることができる。さらに、屋根部の上面に緩衝材を配置したことにより、落石が屋根部に衝突したとしても、その衝撃を緩和できるとともに、大きな衝撃音の発生を防ぐことができる。そして、吊り部と屋根部との間に取付け位置調整機構を設けて屋根部に対する吊り部の取付け位置を可変にすると、接続部に懸吊物を接続して吊ったときに懸吊物が傾斜するような場合、吊り部の取付け位置を調整することにより、懸吊物の傾斜を防ぐことができ、懸吊物の吊り降ろし、吊り上げを安定して行うことができ、安全性を向上することができる。
【０００７】
【発明の実施の形態】
本発明に係る立坑用吊り天秤の好ましい実施の形態を、添付図面に従って詳細に説明する。
図１は、本発明の実施の形態に係る立坑用吊り天秤の平面図であり、図２は図１のＡ−Ａ線に沿った断面図、図３は図１のＢ−Ｂ線に沿った断面図である。これらの図において、吊り天秤１０は、立坑１２の直径よりやや小さな直径を有する屋根部である円盤状の屋根板１４を備えている。そして、屋根板１４の中央部には、天秤本体１６が屋根板１４の直径方向に配設していある。
【０００８】
天秤本体１６は、図２に示したように、屋根板１４の下部に固定したビーム１８と、ビーム１８の長手方向中央部に取り付けた吊り部である回転自在なシーブ２０とを有している。シーブ２０は、屋根板１４の上部に突設してあり、巻上げ装置であるウインチのワイヤ２２が巻掛けされるようになっている。また、屋根板１４の上面には、図１に示したように、補強ビーム２４が井桁状に設けてあって、これらの補強ビーム２４の交点下部に接続部である４本の接続脚部２６が固定してある(図３参照)。そして、各接続脚部２６の下端には、後述する懸吊物を着脱自在に連結するための連結片２８が取り付けてある。さらに、連結片２８の下部には、懸吊物の嵌合部に挿入する位置決め用のガイドピン３０が下方に向けて突設してある。
【０００９】
また、天秤本体１６のビーム１８と、このビーム１８に直行している屋根板１４の補強ビーム２４との間には、取付け位置調整機構３１が形成してある。この取付け位置調整機構３１は、ビーム１８の両端部に設けた複数のボルト孔３３と補強ビーム２４に設けた複数のボルト孔３５とからなっている。つまり、各ボルト孔３３、３５は、ビーム１８と補強ビーム２４とを相互に締結するのに必要な数よりそれぞれの長手方向に多く形成してあって、ボルト孔３３とボルト孔３５との組み合わせを変えることにより天秤本体１６、すなわち吊り部であるシーブ２０の屋根板１４に対する取付け位置を変更できるようになっている。これにより、吊り天秤１０によって懸吊物を吊った際に、懸吊物が傾斜するような場合、ビーム１８の屋根板１４に対する取付け位置を調整することにより、懸吊物の傾斜を防げ、懸吊物を安定して吊り降ろしたり、吊り上げたりすることができ、安全性を向上することができる。
【００１０】
屋根板１４の下面周縁部には、中心に対して９０度間隔で保護ローラであるキャスタ３２が回転自在に設けてある。これらのキャスタ３２は、先端が屋根板１４の側方から突出していて、屋根板１４や懸吊物が立坑１２の壁面に接触するのを防止できるようになっている。また、屋根板１４の上面外縁には、囲い板３４が立設してあって、囲い板３４の内側に衝撃緩衝材として発泡スチロール(図示せず)を配置できるようにしてある。
【００１１】
シーブ２０は、図４たように、ビーム１８に固定した一対の取付け板３６の間に渡して設けたピン３８に軸受(図示せず)を介して取り付けてあって、回転自在となっている。また、取付け板３６には、シーブ２０の直径方向に、シーブ２０に巻掛けたワイヤ２２が外れるのを防止する外れ止め４０が設けてある。この外れ止め４０は、取付け板３６に固定した耳片４２と、シーブ２０の軸方向両側の耳片４２間に渡したピン４４とから構成してある。
【００１２】
このように構成した実施の形態の作用を、図６ないし図９に基づいて説明する。この図６ないし図９は、地下発電所の排水立坑内に、排水配管を据え付けるための所定長さのライナと作業階段とを一体化したライナユニットを吊り降ろす作業を示したものである。
【００１３】
予め組み立てた吊り天秤１０は、シーブ２０にウインチ４６のワイヤ２２が巻き掛けられ、ライナユニット５０の排水立坑５２内への吊り降ろし作業時以外は、排水立坑５２の上部に設けた水平面内で回動可能な可動レール５４の上に配置されていて、排水立坑５０の開口部を閉鎖している。ライナユニット５０は、排水トンネル５６に敷設した固定レール５８の上に配置した台車６０の上で組み立てられ、所定長さの円筒状ライナ６２と、このライナ６２の内部に設けられてライナ６２の内面に固定した階段フレーム６４と、階段フレーム６４の柱６８に取り付けた作業階段６６とからなっている。
【００１４】
ライナユニット５０が組み立てられると、ウインチ操作者７０は、ウインチ４６を操作してウインチワイヤ２２を巻き取り、図６に示したように、吊り天秤１０を吊り上げる。そして、台車６０の上に組み立てたライナユニット５０は、図６の矢印６８に示したように、台車６０によって排水立坑５２の上部に搬入される。その後、図７に示したように、吊り天秤１０がライナユニット５０の上に吊り降ろされ、吊り天秤１０の接続脚部２６に設けたガイドピン３０をライナユニット５０の円筒状柱６６の上部に挿入したのち(図１０参照)、柱６６を接続脚部２６に連結板２８を介して締結する。次に、ウインチ４６を駆動し、図７の矢印７２に示したように、ライナユニット５０を吊り天秤１０と一体に吊り上げる。このとき、吊り天秤１０は、シーブ２０がワイヤ４８との間の摩擦によって回転し、水平に維持された状態で吊り上げられ、ライナユニット５０が傾斜するのを防止する。
【００１５】
ライナユニット５０を台車６０から吊り上げたならば、図８の矢印７４に示したように、台車６０を固定レール５８の所定位置に戻すとともに、可動レール５４を回動させて排水立坑５２の上方から待避させる。その後、図９の矢印７６に示したように、ウインチ４６を駆動してワイヤ２２を繰り出して吊り天秤１０を下降させ、ライナユニット５０を排水立坑５２内に吊り降ろす。このとき、合図者７８は、ライナユニット５０のライナ５２と吊り天秤１０とが排水立坑５２の立ち下がり部に当たるか否かを監視し、ライナユニット５０の吊り降ろしの状態をウインチ操作者７０に合図する。
【００１６】
吊り天秤１０は、ライナユニット５０が図９の矢印８０のように排水立坑５２内を吊り降ろされていく際に、ワイヤ２２の繰出しに応じてシーブ２０が回転してライナユニット５０の姿勢を一定に保持する。そして、吊り天秤１０は、ライナユニット５０がワイヤ２２の縒りの戻りによって揺れたり、排水立坑５２の壁面に凹凸がある場合、または排水立坑５２が傾いているような場合、回転自在なキャスタ３２が排水立坑５２の内面に接触し、ライナユニット５０や吊り天秤１０の囲い板３４が排水立坑５２の壁面に接触するのを防止する。そして、キャスタ３２は、排水立坑５２の壁面を転動するため、ライナユニット５０をスムーズに吊り降ろすことができるとともに、ライナユニット５０が立坑内面と接触して損傷するのを防ぐことができる。また、ライナユニット５０の吊り降ろしの最中に、排水立坑１０の上方において落石が生じた場合には、吊り天秤１０の屋根板１４がライナユニット５０の上部を覆っているため、落石がライナユニット５０に当たることがなく、落石によるライナユニット５０の損傷を防止することができる。しかも、屋根板１４の上面には、衝撃緩衝用の発泡スチロールが配置してあるため、吊り天秤１０に落石が衝突してもその衝撃を発泡スチロールが吸収し、吊り天秤１０の損傷を防止でき、また大きな衝撃音が生ずるのを防ぐことができる。
【００１７】
所定の位置まで吊り降ろされたライナユニット５０は、図１０に示したように、柱６６の下部に設けたガイドピン８２が作業者８４により、既に排水立坑５２内に固定した柱６６ａの上部に挿入されたのち、ボルトによって柱６６、６６ａが締結される。その後、吊り天秤１０の接続脚部２６とライナユニット５０の柱６６との接続を解除し、吊り天秤１０をウインチ４６によって排水トンネル５６に吊り上げる。
【００１８】
なお、ライナ６２内の作業階段６８の側部には、図示しない排水管を配置するパイプスペースが設けられており、ライナユニット５０を排水立坑５２の上部まで連結したのち、パイプスペース内に排水管が配置、固定される。
【００１９】
【発明の効果】
以上に説明したように、本発明によれば、懸吊物の上部を覆う屋根部に、回転自在な保護ローラを屋根部の側方に突出させているため、懸吊物が揺れたり、立坑の壁面に凹凸が存在するため、さらには立坑が傾いていために、懸吊物が立坑の壁面に接触する場合、屋根部から突出している保護ローラが立坑壁面と接触して懸吊物が立坑壁面に接触するのを防止し、懸吊物が立坑壁面と接触することによる損傷を防止することができる。しかも、保護ローラは回転自在であるため、保護ローラが立坑壁面に接触したとしても、保護ローラが転動するために懸吊物をスムーズに吊り降ろしたり吊り上げたりすることができる。また、懸吊物は、屋根部によって上部を覆われるため、落石などが懸吊物に衝突するのを防止することができ、落石などによる懸吊物の損傷を防止できるとともに、危険の防止を図ることができる。さらに、屋根部の上面に緩衝材を配置したことにより、落石が屋根部に衝突したとしても、その衝撃を緩和できるとともに、大きな衝撃音の発生を防ぐことができる。そして、吊り部と屋根部との間に取付け位置調整機構を設けて屋根部に対する吊り部の取付け位置を可変にすると、接続部に懸吊物を接続して吊ったときに懸吊物が傾斜するような場合、吊り部の取付け位置を調整することにより、懸吊物の傾斜を防ぐことができ、懸吊物の吊り降ろし、吊り上げを安定して行うことができ、安全性を向上することができる。
【図面の簡単な説明】
【図１】本発明の実施の形態に係る立坑用吊り天秤の平面図である。
【図２】図１のＡ−Ａ線に沿った断面図である。
【図３】図１のＢ−Ｂ線に沿った断面図である。
【図４】実施の形態に係るシーブの取付け状態を示す詳細図である。
【図５】実施の形態に係る外れ止めの詳細説明図である。
【図６】実施の形態に係る吊り天秤をライナユニットに連結する手順の説明図である。
【図７】実施の形態に係る吊り天秤をライナユニットに連結した状態を示す図である。
【図８】実施の形態に係る吊り天秤によりライナユニットを吊り上げた状態を示す図である。
【図９】実施の形態に係る吊り天秤によりライナユニットを排水立坑内に吊り降ろす状態を示す図である。
【図１０】実施の形態に係るライナユニットの柱を下方の柱に連結する作業の説明図である。
【符号の説明】
１０          立坑用吊り天秤(吊り天秤)
１２          立坑
１４          屋根部(屋根板)
１６          天秤本体
２０          吊り部(シーブ)
２２、４６    巻上げ装置(ワイヤ、ウインチ)
３１          取付け位置調整機構
３２          保護ローラ(キャスタ)
３３、３５    ボルト孔
５０          懸吊物(ライナユニット)
【図１】
0003717030.tif 000002
【図２】
0003717030.tif 000003
【図３】
0003717030.tif 000004
【図４】
0003717030.tif 000005
【図５】
0003717030.tif 000006
【図６】
0003717030.tif 000007
【図７】
0003717030.tif 000008
【図８】
0003717030.tif 000009
【図９】
0003717030.tif 000010
【図１０】
0003717030.tif 000011